(57)【特許請求の範囲】
【請求項１】
当該シンク内の奥側の角部に設けられた排水口と、
前記排水口から当該シンクの側縁に沿って延びる第１誘導溝と、該第１誘導溝の手前側の端部から該シンクの手前側の縁に沿ってその中途位置まで延びる第２誘導溝からなる誘導溝と、
を備え、
当該シンクの底面は、左右方向で手前側に前記第２誘導溝が形成されていない第１領域と、左右方向で前記第２誘導溝の奥側に位置する第２領域とを含み、
前記第２領域は、前記第２誘導溝に向かうにしたがって下方に平坦に傾斜していて、
前記第１領域は、すり鉢状に傾斜していて、そのすり鉢の起点は、前記第１領域および前記第２領域の境界線を当該シンク外まで手前側に延長した位置にあることを特徴とするキッチン用シンク。
【請求項２】
当該シンクの奥側の面から手前側にせり出した水栓を立ち上げるための膨出部と、
前記膨出部の手前側であって当該シンク内の奥側の角部に設けられた排水口と、
前記排水口から当該シンクの側縁に沿って延びる第１誘導溝と、該第１誘導溝の手前側の端部から該シンクの手前側の縁に沿って延びる第２誘導溝からなる誘導溝と、
を備え、
当該シンクの底面は、左右方向で奥側に前記膨出部が形成されていない第１領域と、左右方向で前記膨出部の手前側に位置する第２領域とを含み、
前記第２領域は、前記第２誘導溝に向かうにしたがって下方に平坦に傾斜していて、
前記第１領域は、すり鉢状に傾斜していて、そのすり鉢の起点は、前記第１領域および前記第２領域の境界線を当該シンク外まで手前側に延長した位置にあることを特徴とするキッチン用シンク。
【請求項３】
前記第１領域のすり鉢の起点は、該第１領域のうち前記第２誘導溝の延長線上の傾斜角が該第２誘導溝の傾斜角と同じになる位置にあることを特徴とする請求項１に記載のキッチン用シンク。
【請求項４】
前記排水口は、当該シンクの底面の左右方向において、キッチンの調理スペースが設けられる側に寄って配置されていることを特徴とする請求項１から３のいずれか１項に記載のキッチン用シンク。
【請求項５】
前記排水口は、当該シンクの底面の左右方向において、水栓が配置される側に寄って配置されていることを特徴とする請求項１から４のいずれか１項に記載のキッチン用シンク。
【発明の詳細な説明】
【技術分野】
【０００１】
本発明は、システムキッチン等のキッチンキャビネットに組み込まれるキッチン用シンクに関するものである。
【背景技術】
【０００２】
従来からキッチンでは、キッチンキャビネットにシンクが一体に組み込まれていて、かかるシンクにおいて食材の調理や食器の洗浄が行われる。例えば特許文献１に開示されているキッチンシンクでは、排水口側が低くなるようにシンク底面を傾斜させている。これにより、洗浄時の水が排水口に向かってシンク底面を流れていくため、水捌けの向上を図ることができ、ひいては作業性を高めることが可能となる。
【先行技術文献】
【特許文献】
【０００３】
【特許文献１】特開平１１−１３１０１号公報
【発明の開示】
【発明が解決しようとする課題】
【０００４】
従来のキッチン用シンクでは、上述した特許文献１のように排水口に向かって底面が傾斜していることが一般的であり、シンク底面は排水口を中心にしてすり鉢状の傾斜を有している。ここで、シンクにおいて食材の調理や食器の洗浄を行うと、食器に付着していた食べ残しや、調理時の食材の野菜くず等（以下、野菜くず等と称する）が発生する。
【０００５】
このとき、従来のように排水口に向かって底面が傾斜するシンクであると、水栓からの吐水位置よりも排水口側にある野菜くず等は洗浄時の水流によって排水口に流れていくものの、吐水位置より排水口の反対側にある野菜くず等はそこに滞留してしまう。さらに加えて、従来のシンクにおいて排水口はシンクの奥側に配置されている。しかしながら調理によって野菜くず等はシンクの手前側に堆積する。したがって野菜くず等の滞留は、毎回のように発生する。このため、使用者は、滞留した野菜くず等を手でかき集めて排水口に流さなくてはならず、煩雑な手間が生じてしまうという課題があった。また野菜くず等が滞留しやすいと汚れが付着しやすくなるため、清掃に手間がかかり、清掃性の低下を招くという課題もあった。
【０００６】
本発明は、このような課題に鑑み、シンクの底面に野菜くず等の滞留が生じにくく、使用者の快適性および清掃性の向上を図ることが可能なキッチン用シンクを提供することを目的としている。
【課題を解決するための手段】
【０００７】
上記課題を解決するために、本発明にかかるキッチン用シンクの代表的な構成は、当該シンク内の奥側の角部に設けられた排水口と、排水口から当該シンクの側縁に沿って延びる第１誘導溝と、第１誘導溝の手前側の端部からシンクの手前側の縁に沿ってその中途位置まで延びる第２誘導溝からなる誘導溝と、を備え、当該シンクの底面は、左右方向で手前側に第２誘導溝が形成されていない第１領域と、左右方向で第２誘導溝の奥側に位置する第２領域とを含み、第２領域は、第２誘導溝に向かうにしたがって下方に平坦に傾斜していて、第１領域は、すり鉢状に傾斜していて、そのすり鉢の起点は、第１領域および第２領域の境界線を当該シンク外まで手前側に延長した位置にあることを特徴とする。
【０００８】
上記構成によれば、シンクの底面は、排水口ではなく手前側に向かう傾斜である。すなわち、シンクの底面は手前側に向かって下降するように傾斜をしている。このようにシンクの底面が手前側に向かって傾斜していることにより、野菜くず等が発生するシンク手前側の領域よりも、水栓からの吐水位置の方が底面の傾斜の上流側に位置することになる。したがって、野菜くず等は、シンクの底面を流れる水流によって誘導溝に向かって流される。また第２領域では底面が平坦な傾斜であることから、すり鉢状の傾斜の場合よりも広い領域に水流が流れる。
【０００９】
そして、第２誘導溝に至った野菜くず等は、かかる誘導溝に流れ込んだ水によって第１誘導溝を通過して排水口に向かって流れていく。したがって、例えば、皿を洗う水流によって自然に野菜くず等も流されることになり、皿を洗い終わる頃には野菜くず等の清掃も終了している。このため、使用者は従来のような野菜くずをかき集める作業を行う必要がなく、煩雑な手間が省かれ、高い快適性を得ることが可能となる。また野菜くず等の滞留が防がれることにより、シンク底面への汚れの付着が防がれ、常に清潔な状態が保たれる。このため、シンクの清掃を容易に行うことができ、高い清掃性を得ることが可能となる。
【００１０】
特に上記構成では、第２誘導溝は、シンクの手前側の縁の中途位置までに設けられている。これにより、手前側の縁のすべてに沿って第２誘導溝を設けた場合に比して、シンクの底面の強度を十分に確保することができる。したがって、べかつき等のシンク底面の変形を招くことなく、上述した効果を得ることが可能である。また第１領域がすり鉢状に傾斜していることにより、平坦に傾斜させた場合に比して、第１領域において高い強度が得られる。このため、シンクの底面の変形をより好適に抑制することが可能となる。
【００１１】
更に上記構成では、第１領域のすり鉢の起点を、第１領域および第２領域の境界線をシンク外まで手前側に延長した位置としている。これにより、すり鉢の半径は、前後方向よりも左右方向のほうが長くなる（すり鉢の傾斜は、前後方向よりも左右方向のほうがゆるくなる）。したがって、第１領域において、すり鉢の起点をシンク内に位置させた場合に比して、水栓からの水の流れを左右方向に広げさせることができ、上述した野菜くず等の滞留を抑制する効果を更に高めることが可能となる。
【００１２】
上記課題を解決するために、本発明にかかるキッチン用シンクの他の構成は、当該シンクの奥側の面から手前側にせり出した水栓を立ち上げるための膨出部と、膨出部の手前側であって当該シンク内の奥側の角部に設けられた排水口と、排水口から当該シンクの側縁に沿って延びる第１誘導溝と、第１誘導溝の手前側の端部からシンクの手前側の縁に沿って延びる第２誘導溝からなる誘導溝と、を備え、当該シンクの底面は、左右方向で奥側に膨出部が形成されていない第１領域と、左右方向で膨出部の手前側に位置する第２領域とを含み、第２領域は、第２誘導溝に向かうにしたがって下方に平坦に傾斜していて、第１領域は、すり鉢状に傾斜していて、そのすり鉢の起点は、第１領域および第２領域の境界線を当該シンク外まで手前側に延長した位置にあることを特徴とする。かかる構成によっても、上述したキッチン用シンクと同様の効果を得ることが可能である。
【００１３】
上記第１領域のすり鉢の起点は、第１領域のうち第２誘導溝の延長線上の傾斜角が第２誘導溝の傾斜角と同じになる位置にあるとよい。第１領域のすり鉢の起点をシンク外まで手前側に延長すると、かかる起点をシンク内に位置させた場合に比して、すり鉢の円弧が大きくなり、第２誘導溝の延長線上の傾斜角は緩くなる。そこで、上記のように第２誘導溝の延長線上の傾斜角が第２誘導溝の傾斜角と同じになる位置に第１領域のすり鉢の起点を配置することにより、第２誘導溝の延長上の領域から第２誘導溝への水の流れを円滑にすることができ、上述した効果を高めることが可能となる。
【００１４】
上記排水口は、当該シンクの底面の左右方向において、キッチンの調理スペースが設けられる側に寄って配置されているとよい。キッチンの調理スペースでは野菜くず等が発生しやすい。このため、調理スペース側に排水口を配置することにより、野菜くず等を排水口に捨てやすくなり、調理時の作業性を高めることが可能となる。
【００１５】
上記排水口は、当該シンクの底面の左右方向において、水栓が配置される側に寄って配置されているとよい。これにより、水栓からの水の流れによって野菜くず等が排水口に向かって流れやすくなるため、上述した効果を高めることが可能となる。
【発明の効果】
【００１６】
本発明によれば、シンクの底面に野菜くず等の滞留が生じにくく、使用者の快適性および清掃性の向上を図ることが可能なキッチン用シンクを提供することができる。
【図面の簡単な説明】
【００１７】
【図１】本実施形態にかかるキッチン用シンクの全体図である。
【図２】図１（ｂ）の断面図である。
【図３】排水蓋の他の形状を説明する図である。
【図４】第１領域のすり鉢の起点について説明する図である。
【図５】本実施形態のシンクの他の例を示す図である。
【発明を実施するための形態】
【００１８】
以下に添付図面を参照しながら、本発明にかかる給湯装置および給湯システムの好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１９】
図１は、本実施形態にかかるキッチン用シンク（以下、単にシンク１００と称する）の全体図であり、図１（ａ）は、シンク１００の全体斜視図であり、図１（ｂ）は、図１（ａ）のシンク１００を上方から観察した状態を示す図である。図２は、図１（ｂ）の断面図であり、図２（ａ）は、図１（ｂ）のＡ−Ａ断面図であり、図２（ｂ）は、図１（ｂ）のＢ−Ｂ断面図であり、図２（ｃ）は、図１（ｂ）のＣ−Ｃ断面図であり、図２（ｄ）は、図１のＤ−Ｄ断面図である。なお、図１（ｂ）では、底面１１０の傾斜方向を矢印にて図示している。
【００２０】
図１（ａ）に示すように、本実施形態にかかるシンク１００は、底面１１０、排水口１２０および誘導溝１３０を含んで構成される。図１（ｂ）に示すように、本実施形態の底面１１０は、後述する第１領域１１２および第２領域１１４を含んで構成される。底面１１０の周囲の縁からは壁面１４０が立設していて、シンク１００の奥側の左隅に、壁面１４０から連続し、水栓（不図示）が取り付けられる取付孔１５２が設けられた水栓取付面１５０が設けられている。
【００２１】
更に本実施形態では、水栓取付面１５０の手前側であって、シンク１００内の奥側の角部に、底面１１０の側縁１１０ｂに沿うように排水口１２０が配置されている。排水口１２０は、上方に配置される排水蓋１６０（図１（ａ）参照）によって覆われる。これにより、排水口１２０が使用者の目にふれることがないため、シンク１００における美観を向上させることができる。
【００２２】
図３は、排水蓋１６０の他の形状を説明する図であり、図１（ｂ）に示すシンク１００を模式的に図示している。本実施形態では、図１（ｂ）に示すように略三角形状（直角三角形状）の排水蓋１６０を例示したが、これに限定するものではない。排水蓋１６０は、例えば図３（ａ）に示すように四角形状であってもよいし、図３（ｂ）に示すように丸状であってもよい。
【００２３】
また本実施形態では、シンク１００の形状を横長の四角形状としているが、これにおいても例示にすぎず、限定するものではない。シンク１００は、例えば丸型やＬ字型等の他の形状としてもよい。更に本実施形態のシンク１００では、水栓取付面１５０を備える構成を例示しているが、これにおいても限定されず、水栓取付面１５０を設けずに、シンク１００の外側に水栓、すなわちそれが取り付けられる取付孔１５２を配置する構成とすることも可能である。水栓取付面１５０ひいては水栓（取付孔１５２）の位置においても、必ずしもシンク１００の奥側の左隅とする必要はなく、中央や右隅等、任意の位置に配置してよい。
【００２４】
図１（ａ）および（ｂ）に示すように、本実施形態の誘導溝１３０は、排水口１２０からシンク１００の底面１１０の側縁１１０ｂに沿って延び、更にシンク１００の底面１１０の手前側の縁（以下、手前縁１１０ａと称する）に沿ってその中途位置まで延びている。詳細には、誘導溝１３０は、排水口１２０からシンク１００の側縁１１０ｂに沿って延びる第１誘導溝１３０ａ、および第１誘導溝１３０ａの手前側の端部から手前縁１１０ａに沿ってその中途位置まで延びる第２誘導溝１３０ｂを含んで構成される。なお、以下の説明において第１誘導溝１３０ａおよび第２誘導溝１３０ｂの両方をさす場合には誘導溝１３０と称する。
【００２５】
ここで上述したように、本実施形態のシンク１００の底面１１０は、第１領域１１２および第２領域１１４を含んで構成される。第１領域１１２は、底面１１０のうち、左右方向で手前側に第２誘導溝１３０ｂが形成されていない領域である。第２領域１１４は、底面１１０のうち、左右方向で第２誘導溝１３０ｂの奥側に位置する領域である。
【００２６】
本実施形態のシンク１００の特徴として、図１（ｂ）に示すように、第１領域１１２は、すり鉢状に傾斜し、第２領域１１４は、第２誘導溝１３０ｂに向かうにしたがって下方に平坦に傾斜する。詳細には、図２（ａ）に示すように、第１領域１１２は、シンク１００の奥行方向（前後方向）では、手前側（前方）に向かうにしたがって下方に傾斜する。一方、図２（ｃ）に示すように、シンク１００の左右方向では、第１領域１１２は、左側に向かうにしたがって下方に傾斜する。これにより、第１領域１１２は、すり鉢状に傾斜することとなり、図１（ｂ）に模式的に示す野菜くず等（以下、野菜くず１０２と称する）は、水栓（不図示）からの水によって第１領域１１２を流れ、第２誘導溝１３０ｂの開放端１３２ｂに至る。
【００２７】
図２（ｂ）に示すように、第２領域１１４は、第２誘導溝１３０ｂに向かうにしたがって下方に平坦に傾斜する。これにより、第２領域１１４上の野菜くず等は、水栓からの水によって第２領域１１４をシンク１００の手前側に向かって流れていき、第２誘導溝１３０ｂに至る。
【００２８】
図２（ｂ）に示すように、第２誘導溝１３０ｂは、底面である第２領域１１４よりも下方に窪んだ溝である。かかる第２誘導溝１３０ｂは、第１誘導溝１３０ａの手前側の端部に向かうにしたがって、すなわち左右方向で排水口１２０側に向かうにしたがって下方に傾斜している（図１（ａ）参照）。同様に、図２（ｃ）に示すように、第１誘導溝１３０ａは、底面である第１領域１１２および第２領域１１４よりも下方に窪んだ溝である。図２（ｄ）に示すように、第１誘導溝１３０ａは、奥行方向で排水口１２０に向かうにしたがって下方に傾斜している。
【００２９】
上記説明したように、本実施形態のシンク１００において、底面１１０は、従来のような排水口１２０に向かうすり鉢状の傾斜ではなく、シンク１００の手前側に向かう傾斜である。すなわち、シンク１００の底面１１０が手前側に向かって下降するように傾斜している。そして、水栓が取り付けられる取付孔１５２がシンク１００の奥側に設けられていることから、底面１１０において、水栓からの吐水位置は、野菜くず等が発生する手前側の領域よりも傾斜の上流側に位置することとなる。これにより、図１（ｂ）に示す野菜くず１０２は、底面１１０（本実施形態では第１領域１１２を例示）の奥側（上流側）から流れてきた水流によって第２誘導溝１３０ｂに向かって、図１（ａ）のＤ１方向に流される。
【００３０】
そして、第２誘導溝１３０ｂが第１誘導溝１３０ａの手前側の端部（底面１１０の角部）に向かうにしたがって下方に傾斜していることにより、第２誘導溝１３０ｂに流れこんだ野菜くず１０２は、それと一緒に第２誘導溝１３０ｂに流れ込んだ水の水流によって、排水口１２０と連続している第１誘導溝１３０ａに向かって、図１（ａ）のＤ２方向に流れていく。このとき、第１誘導溝１３０ａにおいても排水口１２０に向かうにしたがって下方に傾斜していることにより、第１誘導溝１３０ａに流れ込んだ野菜くず１０２は、そこに流れ込んだ水によって、図１（ａ）のＤ３方向に流されて排水口１２０に至る。第１誘導溝１３０ａを流れる水は、排水蓋１６０の下に入り込むように排水口１２０へと導かれる。
【００３１】
上記構成によれば、食器等を洗浄する際に流れた水が底面１１０を流れることにより、底面１１０の手前側の領域にある野菜くず１０２が自然に誘導溝１３０に向かってながれ、排水口１２０に案内される。したがって、食器等の洗浄作業が終了する頃には野菜くず１０２の除去も完了することとなる。これにより、使用者は従来のような野菜くず１０２をかき集める作業が不要となり、高い快適性を得ることが可能となる。
【００３２】
また野菜くず１０２が洗浄作業時の水流によって自然に排水口１２０に移動することにより、シンク１００の底面１１０への野菜くずの滞留が防がれる。特に底面１１０のうち第２領域１１４が平坦に傾斜していることにより、従来のように全面がすり鉢状の傾斜の場合よりも広い領域に水流が流れ、野菜くず１０２の滞留が一層抑制される。これにより、野菜くず１０２の滞留に起因するシンク１００の底面１１０への汚れの付着を好適に防ぐことができ、常に清潔な状態を保つことができる。したがって、使用者はシンク１００の清掃を容易に行うことができ、高い清掃性を得ることが可能となる。
【００３３】
特に本実施形態では、上述したように、第２誘導溝１３０ｂを、底面１１０の手前縁１１０ａのすべてに沿ってではなく、かかる手前縁１１０ａの中途位置までに形成している。これにより、手前縁１１０ａのすべてに沿って第２誘導溝１３０ｂを形成した場合に比して、シンク１００の底面１１０の強度を高めることができる。したがって、シンク１００の底面１１０のべかつき、すなわち変形を抑制しつつ、上述した効果を得ることが可能となる。また、溝の全長を抑えることができるため、第１誘導溝１３０ａの最終的な深さも浅くすることができる。すると、極端な深絞りをする必要がないため、ステンレス鋼をプレス成形する際の加工が容易となる。
【００３４】
また第１領域１１２がすり鉢状に傾斜していることにより、平坦に傾斜させた場合に比して、第１領域１１２の強度を高めることができる。このため、シンク１００の底面１１０の変形をより好適に抑制することが可能となる。一方、第２領域１１４では平坦に傾斜しているため、すり鉢状の傾斜の場合よりも広い領域に水流が流すことができる。
【００３５】
なお、第２領域１１４が平坦であることも、第１誘導溝１３０ａの深さ（高低差）を小さくする効果がある。仮に第２領域１１４が第２誘導溝の開放端１３２ｂに向かってすり鉢状に傾斜していると、第２領域１１４が第１誘導溝１３０ａに向かって（図１（ｂ）では左に向かって）次第に高くなる。そうすると、シンク１００の側縁１１０ｂと第１誘導溝１３０ａの底との高低差が大きくなってしまう。しかし第２領域１１４が平坦であることにより、第２領域１１４は左右方向では傾斜がない。したがって高低差を最小限に抑えることができ、加工を容易にすることができる。
【００３６】
図４は、第１領域１１２のすり鉢の起点について説明する図であり、理解を容易にするためにすり鉢の円弧を図示している。シンク１００の前後方向の傾斜角は、例えば２．５°とすることができる。本実施形態のシンク１００では、図４に示すように、第１領域１１２のすり鉢の起点Ｐ１を、第１領域１１２および第２領域１１４の境界線１７０ａをシンク１００外まで手前側に延長した位置としている。これにより、第１領域１１２においてある等高線に着目したとき、開放端１３２ｂからすり鉢の左右方向の半径Ｒ２は前後方向の半径Ｒ１よりも長くなり、すり鉢の円弧が左右方向に大きくなる。
【００３７】
このため、第１領域１１２において、すり鉢の起点をシンク１００内に位置させた場合に比して、水栓からの水の流れを左右方向に広げさせることができる。図４を参照しながら説明すると、蛇口から落下した水流はシンク１００の左右方向に大きく広がり、手前側の壁の右端（上流側）まで到達する。したがって水流は逆流を生じることなく、シンク１００の右隅に野菜くず１０２が滞留することを抑制することができる。
【００３８】
好ましくは、第１領域１１２のすり鉢の起点を、第１領域１１２のうち第２誘導溝１３０ｂの延長線上の領域（以下、延長領域１１２ｂと称する）の傾斜角が第２誘導溝１３０ｂの傾斜角と同じになる位置とするとよい。上述したように第１領域１１２のすり鉢の起点をシンク１００外に設定するとき、起点がシンク１００から離れるほど延長領域１１２ｂの傾斜角は緩くなる。
【００３９】
延長領域１１２ｂと第２誘導溝（厳密には第２誘導溝１３０ｂの底面）の傾斜角を同じにすることにより、これらの境界に屈曲が生じることなく、なだらかにつながった面となる。これにより、延長領域１１２ｂから第２誘導溝１３０ｂへの水の流れを円滑にすることができるため、上述した野菜くず１０２をスムーズに第１誘導溝１３０ａまで流すことが可能となる。延長領域１１２ｂおよび第２誘導溝１３０ｂの傾斜角は、例えば１．８°に設定することができる。
【００４０】
図５は、本実施形態のシンク１００の他の例を示す図である。なお、図１に示すシンク１００と共通する構成要素については、同一の符号を付すことにより説明を省略する。図５に示すシンク１００ａでは、排水口１２０は、シンク１００ａの奥側の面から手前側にせり出した水栓を立ち上げるための膨出部１５４の手前側の角部に配置されている。また図５に示すシンク１００ａでは、誘導溝１３０のうち、第２誘導溝１３０ｂは、第１誘導溝１３０ａの手前側の端部からシンク１００ａの手前側の縁に沿って延び、左右方向で排水口１２０が配置されている側とは反対のシンク１００ａの角部まで至っている。
【００４１】
シンク１００ａにおいて、その底面１１０は、左右方向で奥側に膨出部１５４が形成されていない第１領域１１２と、左右方向で膨出部の手前側に位置する第２領域１１４とを含んで構成される。シンク１００ａにおいても、第１領域１１２は、奥行方向では手前側、左右方向では排水口１２０側（本実施形態で左側）に向かってすり鉢状に傾斜していて、第２領域１１４は、第２誘導溝１３０ｂに向かうにしたがって下方に平坦に傾斜している。
【００４２】
そして、本実施形態の特徴として、シンク１００ａでは、第１領域１１２のすり鉢の起点Ｐ１を、第１領域１１２および第２領域１１４の境界線１７０ａをシンク１００ａ外まで手前側に延長した位置としている。このような構成によっても、第１領域１１２においてある等高線に着目したとき、開放端１３２ｂからすり鉢の左右方向の半径Ｒ２は前後方向の半径Ｒ１よりも長くなり、すり鉢の円弧が左右方向に大きくなる。すなわち、すり鉢の傾斜は、前後方向よりも左右方向のほうがゆるくなる。したがって、上述したシンク１００と同様に、すり鉢の起点をシンク１００ａ内に位置させた場合に比して、水栓からの水の流れを左右方向に広げさせることができるため、野菜くず１０２の滞留を抑制する効果を更に高めることが可能となる。
【００４３】
更に本実施形態では、排水口１２０を、シンクの底面１１０の左右方向において、水栓が配置される側、すなわち取付孔１５２が設けられる側に寄せて配置している。これにより、水栓からの水の流れによって野菜くず１０２が排水口１２０に向かって流れやすくなり、上述した効果をより高めることが可能となる。
【００４４】
また排水口１２０は、シンクの底面１１０の左右方向において、キッチンの調理スペース（不図示）が設けられる側に寄せて配置されているとよい。本実施形態では、キッチンの調理スペースがシンク１００の左側に設けられることを想定し、排水口１２０をシンク１００の左側に寄せて配置している。これにより、キッチンの調理スペースで発生した野菜くず１０２が排水口１２０側に落下するため、野菜くず１０２が流水によって流れやすくなる。
【００４５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４６】
本発明は、システムキッチン等のキッチンキャビネットに組み込まれるキッチン用シンクとして利用することができる。
【符号の説明】
【００４７】
１００…シンク、１００ａ…シンク、１０２…野菜くず、１１０…底面、１１０ａ…手前縁、１１０ｂ…側縁、１１２…第１領域、１１２ｂ…延長領域、１１４…第２領域、１２０…排水口、１３０…誘導溝、１３０ａ…第１誘導溝、１３０ｂ…第２誘導溝、１４０…壁面、１５０…水栓取付面、１５２…取付孔、１５４…膨出部、１６０…排水蓋、１７０ａ…境界線、１７０ｂ…境界線
【図１】
0005980280.tif 000002
【図２】
0005980280.tif 000003
【図３】
0005980280.tif 000004
【図４】
0005980280.tif 000005
【図５】
0005980280.tif 000006